(57)【要約】【課題】  電力供給が可能な通信インターフェースを有する撮像装置において、バッテリーの消費を抑制すること。【解決手段】  バスパワーの供給の有無を検出し（Ｓ５０１）、バスパワーの供給を受けている状態では、機器の一部をバスパワーで駆動する（Ｓ５０９）ことにより、バッテリーの消費を抑制することが可能になる。【選択図】    図４
2006060497.tif 000002
【特許請求の範囲】
【請求項１】
給電可能な通信インターフェースと、
バッテリー又は前記通信インターフェースからの電力供給があるか否かを検出する検出手段と、
前記通信インターフェースからの電力供給がある場合は、第１のブロックに前記通信インターフェースからの電力を供給し、第２のブロックに前記バッテリーからの電力を供給する電力管理手段とを有することを特徴とする撮像装置。
【請求項２】
前記検出手段は、さらにＡＣ電源からの電力供給があるか否かを検出し、
前記電力管理手段は、前記ＡＣ電源からの電力供給がある場合は、前記通信インターフェースからの電力供給の有無にかかわらず前記ＡＣ電源からの電力を前記第１及び前記第２のブロックに供給し、
前記ＡＣ電源からの電力供給がなく前記通信インターフェースからの電力供給がない場合は、前記バッテリーからの電力を前記第１及び前記第２のブロックに供給し、
前記ＡＣ電源からの電力供給がなく前記通信インターフェースからの電力供給がある場合は、前記第１のブロックに前記通信インターフェースからの電力を供給し、前記第２のブロックに前記バッテリーからの電力を供給することを特徴とする請求項１記載の撮像装置。
【請求項３】
前記通信インターフェースからの電力供給を前記第１のブロックに供給していることを報知する報知手段を更に有することを特徴とする請求項１又は請求項２に記載の撮像装置。
【請求項４】
前記撮像装置が、前記通信インターフェースから供給可能な最大電力よりも大きな消費電力を有することを特徴とする請求項１乃至請求項３のいずれか１項に記載の撮像装置。
【請求項５】
給電可能な通信インターフェースを有する撮像装置における電力管理方法であって、
バッテリー又は前記通信インターフェースからの電力供給があるか否かを検出する検出ステップと、
前記通信インターフェースからの電力供給がある場合は、第１のブロックに前記通信インターフェースからの電力を供給し、第２のブロックに前記バッテリーからの電力を供給する電力管理ステップとを有することを特徴とする撮像装置の電力管理方法。
【請求項６】
前記検出ステップは、さらにＡＣ電源からの電力供給があるか否かを検出し、
前記電力管理ステップは、前記ＡＣ電源からの電力供給がある場合は、前記通信インターフェースからの電力供給の有無にかかわらず前記ＡＣ電源からの電力を前記第１及び前記第２のブロックに供給し、前記ＡＣ電源からの電力供給がなく前記通信インターフェースからの電力供給がない場合は、前記バッテリーからの電力を前記第１及び前記第２のブロックに供給し、前記ＡＣ電源からの電力供給がなく前記通信インターフェースからの電力供給がある場合は、前記第１のブロックに前記通信インターフェースからの電力を供給し、前記第２のブロックに前記バッテリーからの電力を供給することを特徴とする請求項５記載の撮像装置の電力管理方法。
【発明の詳細な説明】
【技術分野】
【０００１】
本発明は、ＵＳＢ（Universal Serial Bus）規格等に準拠した通信インターフェースからの電力によって動作することができる撮像装置及びその電力管理方法に関する。
【背景技術】
【０００２】
ＵＳＢ（Universal Serial Bus）規格（ＵＳＢ１．１（非特許文献１参照）、ＵＳＢ２．０（非特許文献２参照）など）は、ＰＣ（パーソナルコンピュータ）と周辺機器との間（或いは周辺機器相互）の通信インターフェースに関する規格である。ＵＳＢ規格には、ＵＳＢ１．１（非特許文献１参照）、ＵＳＢ２．０（非特許文献２参照）が知られている。以下、ＵＳＢ規格に準拠した通信インターフェースをＵＳＢインターフェースと呼ぶ。
【０００３】
ＵＳＢインターフェースは、Ｄ＋線、Ｄ−線、ＶＢＵＳ線及びＧＮＤ線用のコネクタを有する。Ｄ＋線及びＤ−線は、データ通信用の電線であり、ＶＢＵＳ線及びＧＮＤ線は、電力供給用の電線である。ＶＢＵＳ線は、１００ｍＡ〜５００ｍＡの電流に制限されている。
【０００４】
ＵＳＢ規格には、バスパワードデバイス（bus-powered device）、セルフパワードデバイス（self-powered device）が規定されている。バスパワードデバイスとは、ホスト又はＵＳＢハブからＵＳＢインターフェースを介して供給された電力で動作するデバイスである。セルフパワードデバイスとは、自身の主電源（ＡＣ電源又はバッテリー）から供給された電力によって動作するデバイスである。
【０００５】
ＵＳＢの電力管理に関する従来技術には、例えば、特許文献１がある。特許文献１には、ホストの電力供給容量を超えるデバイスが接続されたとき、このデバイスの電力供給を制限することが記載されている。
【０００６】
また、ＵＳＢインターフェースのように電力の供給が可能な通信インターフェースには、ＩＥＥＥ１３９４規格がある。ＩＥＥＥ１３９４規格には、IEEE Std 1394-1995、IEEE Std 1394a-2000等が知られている。
【０００７】
【特許文献１】特開２００１−７５６８２号公報
【非特許文献１】Universal Serial Bus Specification Revision 1.1, September 23, 1998
【非特許文献２】Universal Serial Bus Specification Revision 2.0, April 27, 2000
【発明の開示】
【発明が解決しようとする課題】
【０００８】
デジタルビデオカメラ、デジタルカメラ等の撮像装置の中には、ＵＳＢインターフェースを有するものがある。
【０００９】
しかしながら、従来の撮像装置の消費電力は、ＵＳＢインターフェースから供給される電力（５Ｖ、最大５００ｍＡ）よりも大きい。そのため、従来の撮像装置は、ＵＳＢインターフェースから供給される電力を利用することなく、バッテリー又はＡＣ電源から供給される電力で動作していた。ＵＳＢインターフェースから供給される電力を利用すれば、バッテリーの消費を抑制し、バッテリーによる動作時間を長くすることができるが、従来の撮像装置ではこのような制御を行っていなかった。
【００１０】
本発明は、上記の問題点に鑑みてなされたものであり、通信インターフェースから供給される電力を有効に利用することにより、バッテリーの消費を抑制することが可能な撮像装置（デジタルビデオカメラ、デジタルカメラ等）及び電力管理方法を提供することを目的とする。
【課題を解決するための手段】
【００１１】
上述の目的は、給電可能な通信インターフェースと、バッテリー又は通信インターフェースからの電力供給があるか否かを検出する検出手段と、通信インターフェースからの電力供給がある場合は、第１のブロックに通信インターフェースからの電力を供給し、第２のブロックにバッテリーからの電力を供給する電力管理手段とを有することを特徴とする撮像装置によって達成される。
【００１２】
また、上述の目的は、給電可能な通信インターフェースを有する撮像装置における電力管理方法であって、バッテリー又は通信インターフェースからの電力供給があるか否かを検出する検出ステップと、通信インターフェースからの電力供給がある場合は、第１のブロックに通信インターフェースからの電力を供給し、第２のブロックにバッテリーからの電力を供給する電力管理ステップとを有することを特徴とする撮像装置の電力管理方法によっても達成される。
【発明の効果】
【００１３】
本発明によれば、給電可能な通信インターフェースを有する撮像装置におけるバッテリーの消費を抑制することが可能となる。
【発明を実施するための最良の形態】
【００１４】
以下、添付図面を参照して本発明の好適な実施形態を詳しく説明する。
（第１の実施形態）
図１は、本発明の第１の実施形態に係る撮像装置の一例としてのデジタルビデオカメラ２００の構成を示すブロック図である。
【００１５】
図１において、端子１はデジタルビデオカメラ２００に装着されたバックアップ電源から供給された電力を入力するための端子である。端子１に入力された電力は、常にシステム制御部８に供給される。端子２はデジタルビデオカメラ２００に装着されたバッテリーから供給された電力を入力するための端子である。端子３はＵＳＢインターフェース４から供給された電力（バスパワーともいう）を入力するための端子である。ＵＳＢインターフェース４はＵＳＢ１．１、ＵＳＢ２．０又はこれらに類似する規格に準拠した通信インターフェースであり、Ｄ＋線、Ｄ−線、ＶＢＵＳ線及びＧＮＤ線用のコネクタを有する。ＵＳＢ規格で規定されているように、Ｄ＋線及びＤ−線は、データ通信用の電線であり、ＶＢＵＳ線及びＧＮＤ線は、電力供給用の電線である。電力検出部５は、端子１、端子２及び端子３のそれぞれに所定の電力が供給されているか否かを検出する機能を有する。
【００１６】
スイッチ６は、オンされたときに、バッテリーからの電源を後述するメカ制御部１６、メカ部１７、映像処理部１９、カメラ部２１、ＣＶＦ制御部２５、ＣＶＦ部１３に供給する。スイッチ７は、オンされたときにバッテリーからの電源を後述するカード制御部１０、ＵＳＢ制御部１１、ＬＣＤ（Liquid Crystal Display)制御部１２、ＬＣＤ部１４、文字生成部１５に供給する。スイッチ２７は、オンされたときにバスパワーをカード制御部１０、ＵＳＢ制御部１１、ＬＣＤ制御部１２、ＬＣＤ部１４、文字生成部１５へ供給する。
【００１７】
システム制御部８は、このデジタルビデオカメラ２００全体の制御を実行している。このシステム制御部８には、ＣＰＵ８０と、ＣＰＵ８０により実行される制御プログラム等を記憶しているメモリ８１が含まれている。操作部９は、使用者により操作される各種スイッチやキーを有し、ＬＣＤ部１４もまた操作部９として機能する。
【００１８】
カード制御部１０は、メモリカード２２に対し、カメラ部２１で生成される映像信号の記録を行ったり、メモリカード２２の内容を再生して、その再生信号を映像処理部１９に渡して映像出力端子２０へ出力したり、メモリカード２２の内容を再生して、その再生信号をＬＣＤ制御部１２に渡してＬＣＤ部１４に表示出力したり、或はメモリカード２２の内容を再生し、その再生信号をＵＳＢ制御部１１に渡してＵＳＢインターフェース４へ出力するなどの制御を行う。メモリカード２２は、不揮発性メモリを内蔵したカード状の記憶媒体であり、デジタルビデオカメラ２００から取り外し可能である。
【００１９】
ＵＳＢ制御部１１は、ＵＳＢインターフェース４から入力される信号の制御を行っている。ＬＣＤ制御部１２は、文字生成部１５から生成される文字信号や、カード制御部１０から再生される信号や、映像処理部１９からの磁気テープ１８の再生信号や、カメラ部２１からの撮像信号をＬＣＤ部１４へ出力する。ＣＶＦ（Color View Finder）部１３は、接眼レンズを有するファインダーに表示するためのものであり、ＬＣＤ等の表示素子と、光学系とからなる。一方、ＬＣＤ部１４は所謂液晶モニターであり、ファインダーとしても機能するが、より大型の表示部である。ＬＣＤ部１４には各種設定メニューなどのＧＵＩ画面も表示され、従ってＬＣＤ部１４は操作部９の一部を構成する。機能文字生成部１５は、文字信号を生成し、カード制御部１０から再生される信号や、映像処理部１９からの磁気テープ１８の再生信号や、カメラ部２１からの撮像信号に、その文字信号をミックスして表示させる。
【００２０】
メカ制御部１６は、磁気テープ１８へ映像を記録したり、磁気テープ１８からの映像信号を再生するためにメカ部１７を制御する。メカ部１７は、実際に磁気テープ１８を走行させたり、ヘッドを回転させて、磁気テープ１８へ映像を記録したり、磁気テープ１８から映像を再生するための機構と、その制御を行う。映像処理部１９は、文字生成部１５から生成される文字信号や、カード制御部１０から再生される再生信号や、メカ制御部１６からの磁気テープ１８の再生信号や、カメラ部２１からの撮像信号を、映像出力端子２０へ出力している。映像出力端子２０は、映像処理部１９からの信号を出力する。カメラ部２１は、このデジタルビデオカメラ２００における撮影処理を行うための信号を生成している。電源部２３は、このデジタルビデオカメラ２００への電力供給を制御して、各部へ電力を供給している。ＣＶＦ制御部２５は、カード制御部１０から再生される再生信号や、映像処理部１９からの磁気テープ１８の再生信号や、カメラ部２１からの撮像信号をＣＶＦ部１３へ出力している。ＵＳＢケーブル２６はＵＳＢインターフェース４を介してデジタルビデオカメラ２００をプリンタやＰＣなど、他の機器に接続するためのものである。
【００２１】
尚、図１において、システム制御部８には、一次電池などのバックアップ電源により常時電力が供給されており、ブロック３１はスイッチ７がオンのときにはバッテリーから、スイッチ２７がオンの時にはＵＳＢインターフェース４から電力が供給されるブロックである。ブロック３２はスイッチ６がオンのときにバッテリーから電力が供給されるブロックである。なお、スイッチ６がオンで、かつスイッチ７又は２７のいずれかがオンのときはブロック３１及びブロック３２の両方に電力が供給されるため、デジタルビデオカメラ２００としての通常の動作が可能になる。
【００２２】
図２は、第１の実施形態のデジタルビデオカメラ２００とバスパワーの供給が可能な外部機器としてのプリンタ１００とを直接接続して印刷を行うための印刷システム（ダイレクトプリントシステム）の構成を説明する図である。
【００２３】
図２に示すように、デジタルビデオカメラ２００とプリンタ１００とをＵＳＢケーブル２６を介して接続した場合、ＡＣ電源に接続されるプリンタ１００が、バスパワーをデジタルビデオカメラ２００に供給する。つまり、ＵＳＢ接続においてプリンタ１００が「ホスト」、デジタルビデオカメラ２００が「デバイス」となる。このような構成のシステムにおいて、デジタルビデオカメラ２００からメモリカード２２に記憶している画像情報をプリンタ１００に送信して印刷を行う。
【００２４】
図３は、第１の実施形態に係るプリンタ１００の構成を示すブロック図である。
ＵＳＢインターフェース１３０はＵＳＢ１．１、ＵＳＢ２．０又はこれらに類似する規格に準拠した通信インターフェースである。ＵＳＢ制御部１０４は、前述のデジタルビデオカメラ２００のＵＳＢ制御部１１と同様に、ＵＳＢによる信号の授受を制御している。画像メモリ１０８は、デジタルビデオカメラ２００から入力した符号化された画像データや、その画像データを伸張したプリント画像等を記憶する。
【００２５】
色調整回路１０９は、印刷する画像の色調整を行う。階調調整回路１１０は、印刷する画像の階調処理を行う。ヘッドドライバ回路１１１は、階調処理回路１１０から出力される画像データに応じてプリンタヘッド１１７を駆動する。記録紙１１８は画像を印刷する記録媒体である。システムコントローラ１１２は、このプリンタ１００全体の動作を制御している。モータ駆動回路１１３は、プリンタヘッド１１７を走査させるためのキャリッジモータ１２２の駆動制御を行う。モータ駆動回路１１６は、紙送り用のシートフィードモータ１２３の駆動制御を行う。メインスイッチ１１４は電源スイッチや、ユーザがプリンタに指示を与えるためのキーやスイッチである。
【００２６】
表示部１１５は、このプリンタ１００に関する情報などを表示する。紙ジャム検出回路１１９は、図示しない紙センサ等の出力に基づいて紙詰まり等を検知する。バスパワー供給部１３１は、ＵＳＢインターフェース１３０にバスパワーを供給している。ＵＳＢインターフェース１３０から供給されたバスパワーは、ＵＳＢケーブル２６を通じてＵＳＢインターフェース４に入力され、デジタルビデオカメラ２００で使用される。電源部１３２はプリンタ１００内の各部に電力を供給する。
【００２７】
尚、プリンタヘッド１１７には、インクを吐出するためのエネルギーを発生するエネルギー発生手段としてピエゾ素子などの電磁機械変換体を用いたもの、或は発熱抵抗体を有する電気熱変換素子によって液体を加熱させるものなどがあるが、第１の実施形態では、熱エネルギーを利用（膜沸騰現象を利用）して液体を吐出させるインクジェット方式の記録ヘッドとしている。
【００２８】
図４は、第１の実施形態に係るデジタルビデオカメラ２００において実行される電力管理処理の手順を説明するフローチャートである。図４で説明する処理を実行するためのプログラムはシステム制御部８のメモリ８１に記憶されており、システム制御部８のＣＰＵ８０により実行される。尚、この処理を実行するシステム制御部８はバックアップ電源から供給される電力により動作している。
【００２９】
まず、システム制御部８は、電力検出部５により端子３の電圧を検出し、プリンタ１００からバスパワーの供給がなされているかどうか判断する（ステップＳ５０１）。バスパワーの供給がない場合、システム制御部８は、ステップＳ５０２〜Ｓ５０４において、スイッチ６、７及び２７を以下の状態に制御する。
スイッチ６：オン
スイッチ７：オン
スイッチ２７：オフ
【００３０】
この結果、デジタルビデオカメラ２００の全てのブロックに対して端子２を通じてバッテリーからの電力供給が行われる（ステップＳ５０５）。
【００３１】
一方、ステップＳ５０１において、バスパワーの供給が検出された場合、システム制御部８は、ステップＳ５０６〜Ｓ５０８において、スイッチ６、７及び２７を以下の状態に制御する。
スイッチ６：オン
スイッチ７：オフ
スイッチ２７：オン
【００３２】
この結果、デジタルビデオカメラ２００のうち、ブロック３１（カード制御部１０、ＵＳＢ制御部１１、ＬＣＤ制御部１２、ＬＣＤ部１４、文字生成部１５）には端子３を通じてプリンタ１００からバスパワーが供給され、ブロック３２（メカ制御部１６、メカ部１７、映像処理部１９、カメラ部２１、ＣＶＦ制御部２５、ＣＶＦ部１３）には端子２を通じてバッテリーから電力が供給される。
【００３３】
また、ステップＳ５０９において、システム制御部８は、ＬＣＤ制御部１２及び文字生成部１５を制御して、ＬＣＤ部１４にメッセージを表示し、デジタルビデオカメラ２００がバスパワーを用いて動作していることをユーザに報知する。
【００３４】
図５は、バスパワーを利用して動作している場合にＬＣＤ部１４に表示する画面の一例を示す図である。
図５では、図２に示すダイレクトプリントシステムにおいて、デジタルビデオカメラ２００からプリンタ１００へ、例えばカード２２に記録された画像のプリントを指示するための画面にメッセージを表示した例を示している。
【００３５】
従って、ＬＣＤ部１４には、ユーザがメモリカード２２に記録された画像から、プリントを希望する画像を選択するための領域４０１と、プリント指示、プリントキャンセルのためのボタン４０２、４０３とともに、現在デジタルビデオカメラ２００がプリンタ１００からのバスパワーを用いて動作していることを示すメッセージ４００が表示されている。
【００３６】
なお、バスパワーを利用して動作していることをユーザに報知するためのメッセージは、図５に示すようなプリント指示用の画面のみならず、他の画面中に表示することも可能であることは言うまでもない。ただし、バスパワーを利用して動作している間は原則として常時メッセージ表示を行うことが好ましい。
【００３７】
以下、ステップＳ５０９において、図５の画面表示が行われたものとして説明を続ける。システム制御部８は操作部９の操作を監視し（ステップＳ５１１）、選択操作に応じてメモリカード２２に記録された画像の例えばサムネール画像を順次領域４０１へ表示する。また、操作部９からプリントキャンセルボタン４０３の押下に対応する操作がなされれば、ステップＳ５０１に戻る。一方、プリント指示ボタン４０２の押下に対応する操作がなされた場合には、ステップＳ５１２へ進む。
【００３８】
プリント要求があると、ステップＳ５１２において、システム制御部８は、カード制御部１０に対し、図５の領域４０１へ表示されていた画像をカード２２から読み出すように指示する。そして、システム制御部８は、ＵＳＢ制御部１１に対して、カード制御部１０が読み出した画像データをプリンタ１００が印刷可能なデータに変換し、ＵＳＢインターフェース４からプリンタ１００へ送信するように指示する。ＵＳＢ制御部１１はこの指示に従い、画像データを変換してプリンタ１００への送信を開始する。
【００３９】
システム制御部８はプリンタ１００へのデータ送信終了を監視し（ステップＳ５１３）、送信終了が検出されると送信終了処理を行う（ステップＳ５１４）。そして、ステップＳ５０１へ戻る。
【００４０】
尚、このデジタルビデオカメラ２００から画像データを受信したプリンタ１００は、システムコントローラ１１２によりプリント画像を形成して画像メモリ１０８に格納し、色調整回路１０９、階調処理回路１１０によりプリント画像の色及び階調を補正する。そして、補正後のプリント画像を、ヘッドドライバ回路１１１を制御してプリンタヘッド１１７に印加し、同時にプリンタヘッドを移動させるモータ駆動回路１１３、紙送りのモータを駆動させるモータ駆動回路１１６を制御して、記録紙１１８に受信画像を印刷する。
【００４１】
以上説明したように、本実施形態によれば、相手側機器からバスパワーが供給されている場合にはデジタルビデオカメラ２００のブロック３１をバスパワーで動作させることにより、デジタルビデオカメラ２００のバッテリーの消費が抑制できるという効果がある。また、バスパワーを用いて動作していることをユーザに報知するため、操作者が動作状態を認識できるという効果がある。
【００４２】
（第２の実施形態）
図６は、本発明の第２の実施形態に係るデジタルビデオカメラ２００の構成を示すブロック図で、前述の図１の構成と共通する部分は同じ記号で示し、それらの説明を省略する。
図６において、電力検出部５は、図示しないバッテリーから端子２へ、または、ＵＳＢインターフェース４から端子３にバスパワーが供給されているかを検出する機能を有する。
【００４３】
スイッチ６は、オンされると、端子２から供給される電力をブロック３２’（メカ制御部１６、メカ部１７、映像処理部１９、カメラ部２１、ＣＶＦ＆ＬＣＤ制御部６３、ＣＶＦ部１３、ＬＣＤ（Liquid Crystal Display）部１４）に供給する。スイッチ７は、オンされると、端子２から供給される電力をブロック３１’（カード制御部１０及びＵＳＢ制御部１１）に供給する。スイッチ２５は、オンされると、端子３から供給される電力をブロック３１’に供給する。
【００４４】
図１の構成と主に異なるのは、バッテリーで動作するブロック３２’に、図１のＬＣＤ１４に相当するＬＣＤ部６４が含まれていること、ＬＥＤ６１が追加されたこと、文字生成部１５が無いことである。
【００４５】
ＬＥＤ６１は、バスパワーを用いてデジタルビデオカメラ２００が動作している際に点灯し、動作状態をユーザに報知する。ＣＶＦ＆ＬＣＤ制御部６３は、図１におけるＣＶＦ制御部１３とＬＣＤ制御部１２の機能を有し、カード制御部１０から再生される信号や、映像処理部１９からの磁気テープ１８の再生信号や、カメラ部２１による撮像信号をＣＶＦ部１３やＬＣＤ部６４へ出力する。
【００４６】
図７は、第２の実施形態のデジタルビデオカメラ２００と、バスパワーの供給が可能な外部機器としてのＰＣ３００とを直接接続し、デジタルビデオカメラ２００で撮像した画像データをＰＣ３００へ出力したり、ＰＣ３００で生成した画像データをデジタルビデオカメラ２００で記録したりするためのシステム構成を説明する図である。
【００４７】
図７に示すように、デジタルビデオカメラ２００とＰＣ３００とをＵＳＢケーブル２６を介して接続した場合、ＡＣ電源に接続されるＰＣ３００が、バスパワーをデジタルビデオカメラ２００に供給する。つまり、ＵＳＢ接続においてＰＣ３００が「ホスト」、デジタルビデオカメラ２００が「デバイス」となる。このような構成のシステムにおいて、ＰＣ３００からの指示により、デジタルビデオカメラ２００のメモリカード２２や磁気テープ１８に対して画像データの読み出し、及び書き込みを行うことができる。
【００４８】
図８は、第２の実施形態のデジタルビデオカメラ２００において実行される電力管理処理の手順を説明するフローチャートである。図８で説明する処理を実行するためのプログラムはメモリ８１に記憶されており、ＣＰＵ８０により実行される。
【００４９】
まず、システム制御部８は、電力検出部５により端子３の電圧を検出し、ＰＣ３００からバスパワーの供給がなされているかどうか判断する（ステップＳ６０１）。バスパワーの供給がない場合、システム制御部８は、ステップＳ６０２〜Ｓ６０４において、スイッチ６、７及び２７を以下の状態に制御する。
スイッチ６：オン
スイッチ７：オン
スイッチ２７：オフ
【００５０】
この結果、デジタルビデオカメラ２００の全てのブロックに対して端子２を通じてバッテリーからの電力供給が行われる（ステップＳ６０５）。
そして、ステップＳ６１０において、ＬＥＤ６１を消灯して、デジタルビデオカメラ２００がバッテリーで動作していることを使用者に通知する。
【００５１】
一方、ステップＳ６０１において、バスパワーの供給が検出された場合、システム制御部８は、ステップＳ６０６〜Ｓ６０８において、スイッチ６、７及び２７を以下の状態に制御する。
スイッチ６：オン
スイッチ７：オフ
スイッチ２７：オン
【００５２】
この結果、デジタルビデオカメラ２００のうち、ブロック３１’（カード制御部１０及びＵＳＢ制御部１１）には端子３を通じてＰＣ３００からのバスパワーが供給され、ブロック３２’（メカ制御部１６、メカ部１７、映像処理部１９、カメラ部２１、ＣＶＦ＆ＬＣＤ制御部６３、ＣＶＦ部１３及びＬＣＤ部６４）には端子２を通じてバッテリーから電力が供給される。従って、バスパワーの供給が有る場合には、カード制御部７１０、ＵＳＢ制御部７１１は、バスパワーによって駆動され、バッテリーの消費電力が低減できる。
【００５３】
そして、システム制御部７８は、ステップＳ６１１において、ＬＥＤ６１を点灯させ、デジタルビデオカメラ２００がバスパワーを使用していることをユーザに報知する。図９に、ＬＥＤ６１が点灯している状態を模式的に示す。
【００５４】
続いてシステム制御部８は、ＰＣ３００より、ＵＳＢインターフェース４、ＵＳＢ制御部１１を経由して、画像データの読み出し又は書き込みの要求が有ったかどうかを監視する（ステップＳ６１２）。ここでは、例として、カード２２に対する読み出し指示に対する処理を説明する。読み出し指示を受けると、システム制御部８は、カード制御部１０に対してカード２２のカード読み込み制御を行うように指示し、ＵＳＢ制御部１１に対しては、カード制御部１０によるカード２２の読み込みデータをＰＣ３００へ送信可能なデータに変換し、ＵＳＢインターフェース４から送信するよう指示する。ＵＳＢ制御部１１はこの指示に応じて読み込みデータをＰＣ３００へ送信する（ステップＳ６１３）。
【００５５】
システム制御部８はＰＣ３００へのデータ送信終了を監視し（ステップＳ６１４）、送信終了が検出されると送信終了処理を行う（ステップＳ６１５）。そして、ステップＳ６０１へ戻る。
【００５６】
なお、ステップＳ６１２においてカード２２に対する書込指示があった場合、システム制御部８は、ＰＣ３００から送信される書込データをＵＳＢ制御部１１でカード２２に書込可能なデータに変換するよう指示し、またカード制御部１０に対してＵＳＢ制御部１１で生成されたデータをカード２２に書き込むよう指示する。そして、書き込みが終了したら処理を終了してステップＳ６０１へ戻る。
【００５７】
以上説明したように、本実施形態によれば、第１の実施形態と同様に、デジタルビデオカメラ２００のバッテリーの消費が抑制できるという効果がある。また、バスパワーを用いて動作していることをユーザに報知するため、操作者が動作状態を認識できるという効果がある。
【００５８】
（第３の実施形態）
図１０は、本発明の第３の実施形態に係るデジタルビデオカメラ２００の構成を示すブロック図で、前述の図１の構成と共通する部分は同じ記号で示し、それらの説明を省略する。
【００５９】
第３の実施形態に係るデジタルビデオカメラ２００は、第３の実施形態に係るデジタルビデオカメラ２００と異なり、ＡＣ電源からの電力を入力するための端子２９と、端子２及び端子２９のそれぞれに所定の電力が供給されているか否かを検出する電源検出手段２８とを有する。
【００６０】
図１１は、第３の実施形態に係るデジタルビデオカメラ２００とバスパワーの供給が可能な外部機器としてのプリンタ１００とを直接接続して印刷を行うための印刷システム（ダイレクトプリントシステム）の構成を説明する図である。
【００６１】
本実施形態においても、第１の実施形態と同様、デジタルビデオカメラ２００とプリンタ１００とをＵＳＢケーブル２６を介して接続した場合、プリンタ１００が、バスパワーをデジタルビデオカメラ２００に供給する。つまり、ＵＳＢ接続においてプリンタ１００が「ホスト」、デジタルビデオカメラ２００が「デバイス」となる。このような構成のシステムにおいて、デジタルビデオカメラ２００からメモリカード２２に記憶している画像情報をプリンタ１００に送信して印刷を行う。なお、プリンタ１００の構成は図３を用いて第１の実施形態で説明した通りであるため省略する。
【００６２】
図１２は、第３の実施形態に係るデジタルビデオカメラ２００において実行される電力管理処理の手順を説明するフローチャートである。図１２で説明する処理を実行するためのプログラムはシステム制御部８のメモリ８１に記憶されており、システム制御部８のＣＰＵ８０により実行される。尚、この処理を実行するシステム制御部８はバックアップ電源から供給される電力により動作している。また、前述の図４の構成と共通する部分は同じ記号で示し、それらの説明を省略する。
【００６３】
まず、システム制御部８は、電力検出部２８により端子２及び端子２９の電圧を検出し、バッテリーとＡＣ電源のいずれから電源の供給があるかを検出する（Ｓ１２０１）。ここで、ＡＣ電源から電源供給があることが検出された場合にはステップＳ５０２へ、ＡＣ電源から電源供給がない（バッテリーからのみ電源供給あり）の場合には、ステップＳ５０１へ進む。
【００６４】
その後は、第１の実施形態と同様にして処理を行う。つまり、本実施形態においては以下のように電源供給を制御する。
（１）ＡＣ電源の供給がある場合
バスパワーの供給の有無にかかわらず全ブロックをＡＣ電源で駆動
（２）ＡＣ電源の供給がない場合
（２ー１）バスパワー供給が無い場合
全ブロックをバッテリーで駆動
（２−２）バスパワー供給がある場合
ブロック３１をバスパワーで駆動し、他のブロックはバッテリーで駆動
【００６５】
以上説明したように、本実施形態によれば、第１の実施形態と同様の効果に加え、デジタルビデオカメラ２００にＡＣ電源からの電力が供給されている場合にはバスパワーが供給されていても利用しないようにするため、不要な電源の切り替えをなくすことができる。
【００６６】
（他の実施形態）
上述の全ての実施形態では、撮像装置の一例としてデジタルビデオカメラを採用したが、デジタルビデオカメラ以外の撮像装置を採用してもよい。例えば、デジタルカメラ、カメラ付き携帯電話、カメラ付きコンピュータ等の撮像装置を採用してもよい。
【００６７】
また、上述の全ての実施形態では、撮像装置に給電可能な通信インターフェースの一例としてＵＳＢインターフェースを採用したが、ＵＳＢインターフェース以外の通信インターフェースを採用してもよい。例えば、IEEE Std 1394-1995、IEEE Std 1394a-2000等に準拠した通信インターフェースを採用してもよい。
【００６８】
また、第３の実施形態では、２つの電力検出部を用いてバックアップ電源、ＡＣ電源、バッテリー及び通信インターフェースから所定の電力が供給されているか否かを検出したが、１つの電力検出部を用いてバックアップ電源、ＡＣ電源、バッテリー及び通信インターフェースから所定の電力が供給されているか否かを検出しても良い。
【００６９】
また、第１の実施形態や第３の実施形態においても、第２の実施形態と同様にＬＥＤを用いてバスパワーの利用を報知するようにしてもよい。同様に、第２の実施形態において第１又は第３の実施形態のようにメッセージを用いてバスパワーの利用を報知することもできる。もちろん、複数の報知方法を組み合わせて適用することも可能である。
【図面の簡単な説明】
【００７０】
【図１】第１の実施形態に係るデジタルビデオカメラ２００の構成を示すブロック図である。
【図２】第１の実施形態におけるデジタルビデオカメラ２００とプリンタとがＵＳＢ接続された状態を示す図である。
【図３】第１の実施形態に係るプリンタの構成を示すブロック図である。
【図４】第１の実施形態のデジタルビデオカメラ２００において実行される電力管理処理の手順を説明するフローチャートである。
【図５】第１の実施形態において、デジタルビデオカメラ２００使用者に対してバスパワーで動作している旨を通知するパネル表示例を示す図である。
【図６】第２の実施形態に係るデジタルビデオカメラ２００の構成を示すブロック図である。
【図７】第２の実施形態におけるデジタルビデオカメラ２００とＰＣとがＵＳＢ接続された状態を示す図である。
【図８】第２の実施形態のデジタルビデオカメラ２００において実行される電力管理処理の手順を説明するフローチャートである。
【図９】第２の実施形態においてデジタルビデオカメラ２００のＬＥＤ６１が点灯している状態を模式的に示す図である。
【図１０】第３の実施形態に係るデジタルビデオカメラ２００の構成を示すブロック図である。
【図１１】第３の実施形態におけるデジタルビデオカメラ２００とＰＣとがＵＳＢ接続された状態を示す図である。
【図１２】第３の実施形態のデジタルビデオカメラ２００において実行される電力管理処理の手順を説明するフローチャートである。
【図１】
2006060497.tif 000003
【図２】
2006060497.tif 000004
【図３】
2006060497.tif 000005
【図４】
2006060497.tif 000006
【図５】
2006060497.tif 000007
【図６】
2006060497.tif 000008
【図７】
2006060497.tif 000009
【図８】
2006060497.tif 000010
【図９】
2006060497.tif 000011
【図１０】
2006060497.tif 000012
【図１１】
2006060497.tif 000013
【図１２】
2006060497.tif 000014